(57)【要約】【課題】灯体内の通気性を損ねたり、ランプ装着作業を妨げるおそれのないサポートによって、灯体内のソケットに保持されたランプのネック部を支持して、ランプの振動を効果的に抑制すると同時に、ランプの荷重によるランプ軸の傾きも防止する。【解決手段】サポート７が、灯体内のソケット５に保持されたランプのネック部を囲うように設置されたバネ線材で成る周枠９と、該周枠９内に挿通されるランプのネック部に対して該ネック部を取り囲む複数方向から圧接して周枠９を外方へ押し広げるように弾性変形させ、その弾性変形により生ずる反発力でランプのネック部を掴むネック掴持部材１０ａ、１０ｂ、１０ｃとで構成されている。【選択図】  図２
2005019073.tif 000002
【特許請求の範囲】
【請求項１】
灯体内のソケットに保持されたランプのネック部を支持するサポートが設けられた照明器具において、前記サポートが、前記ネック部を囲うように設置されたバネ弾性を有する周枠に、該周枠内に挿通される前記ネック部に対して該ネック部を取り囲む複数方向から圧接して前記周枠を外方へ押し広げるように弾性変形させ、その弾性変形により生ずる反発力で前記ネック部を掴むネック掴持部材が取り付けられた構成となっていることを特徴とする照明器具。
【請求項２】
前記周枠が、各辺の長さが略等しい多角形に曲げ加工されたバネ材で成り、その多角形の中心が前記ランプの中心と符合する位置で多角形の角部に相当する部分が灯体に固定され、その多角形の各辺の中央部に夫々前記ネック掴持部材が取り付けられている請求項１記載の照明器具。
【請求項３】
前記周枠を成すバネ材が、全体として各辺の長さが略等しい多角形に曲げ加工されると共に、その多角形の各辺が各々その中央部の面内方向に均等サイズの円形状ループ部を形成するように曲げ加工されたバネ線材で成り、前記ネック掴持部材が、外周溝を前記円形状ループ部の内側に係合させて該ループ部内に回転自在に嵌め付けられた耐熱樹脂製の円盤もしくは球体で成る請求項２記載の照明器具。
【発明の詳細な説明】
【０００１】
【発明の属する技術分野】
本発明は、灯体内のソケットに口金を嵌め込んで該ソケットに保持されたランプのネック部を支持して該ランプの振動を抑制するサポートが設けられた照明器具に関する。
【０００２】
【従来の技術】
各種競技場施設の投光用照明や、高速道路、街路等の道路照明に用いる照明器具は、支柱に取り付けた灯体内のソケットに口金を嵌め込んでそのソケットに保持されたランプに、地震や車の走行などによって生ずる震動が伝わって、該ランプが小刻みに振動したり、あるいは灯体が地震や強風の影響で大きく揺れ動いてランプが振り回されるなどして、そのランプがソケットに嵌め込んだ口金の付近から折れるように破損したり、ソケットが破損するおそれがある。また、ランプ軸が長い投光照明用ランプや道路照明用ランプは、その全体をソケットのみで保持すると、該ソケットに嵌め込まれた口金とは反対側の先端部が自重により垂れ下がってランプ軸に傾きが生じ、設計どおりの配光性能が得られなくなるという不具合を生ずる。
【０００３】このため、従来は、ランプの先端部側をコイルスプリングで灯体に支持したり、ソケットを灯体に対して揺動可能に取り付けるなどして、ランプの振動を抑制し、また、その振動による負荷をソケットに保持されたランプの口金付近に集中させないようにすると共に、ランプの自重によってランプ軸が傾かないようにしている。
【０００４】しかし、上記の如くランプの先端部側をコイルスプリングで支持すると、そのコイルスプリングによってランプの配光性能が損なわれるおそれがあるので、ランプのネック部を挿通させる円形穴が形成された副反射鏡を利用してランプのネック部を支持する提案がなされている（特許文献１参照）。
【０００５】
【特許文献１】
特開平７−６５６１９号公報
【０００６】上記提案は、副反射板の中心部に形成された円形穴の内周に沿ってクッション材を取り付け、該クッション材で副反射板の円形穴に挿通されるランプのネック部を支持してランプの振動を抑制するものである。
【０００７】
【発明が解決しようとする課題】
しかしながら、副反射板は、上記特開平７−６５６１９号公報の図１及び図２に記載された如く、光源筒の開口部を塞ぐように設置されるため、その副反射板の円形穴とこれに挿通されるランプのネック部との間の隙間を塞ぐクッション材が取り付けられると、光源筒内の通気性が損なわれてその内部温度が異常に上昇するおそれがある。また、ランプのネック部に密着せられるクッション材は、ランプの高熱で劣化して短期間に緩衝性能を喪失するおそれがある。そして、クッション材を取り付ける副反射鏡は緩衝作用を奏しないので、クッション材が経時劣化によってその緩衝性能を喪失すれば、ランプの振動を吸収緩和することができなくなる。
【０００８】更に、クッション材として軟質のものを使用すれば、ランプの荷重を受ける部分が圧縮変形してランプ軸の傾きを生ずるおそれがある。また、ランプの荷重によって容易に圧縮変形しない硬質のクッション材を使用すれば、ランプの振動を抑制するために十分な緩衝効果が得られないだけでなく、副反射鏡の円形穴にランプのネック部を挿通してランプの口金をソケットに嵌め込むランプの装着作業が困難になるという不具合を生ずる。
【０００９】そこで本発明は、灯体内の通気性を損なうことなくランプのネック部を支持して、ランプの振動を効果的に抑制することができると同時に、ランプの荷重によるランプ軸の傾きを防止することができ、ランプの装着作業も容易に行うことができる照明器具を提供することを技術的課題としている。
【００１０】
【課題を解決するための手段】
上記の課題を解決するために、本発明は、灯体内のソケットに保持されたランプのネック部を支持するサポートが設けられた照明器具において、前記サポートが、前記ネック部を囲うように設置されたバネ弾性を有する周枠に、該周枠内に挿通される前記ネック部に対して該ネック部を取り囲む複数方向から圧接して前記周枠を外方へ押し広げるように弾性変形させ、その弾性変形により生ずる反発力で前記ネック部を掴むネック掴持部材が取り付けられた構成となっていることを特徴とする。
【００１１】本発明の照明器具は、灯体内のソケットに取り付けるランプのネック部をサポートの周枠内に挿通させると、その周枠に取り付けられたネック掴持部材が、ランプのネック部を取り囲む複数方向からネック部に圧接して、バネ弾性を有する周枠が外方へ押し広げられるように弾性変形し、その弾性変形により生ずる反発力で、ネック掴持部材がランプのネック部を掴んでそのネック部を複数方向から締め付けるように支持し、バネ弾性を有する周枠によってランプの振動が吸収緩和されることとなる。
【００１２】
【発明の実施の形態】
以下、本発明の実施形態を図面によって具体的に説明する。
図１は本発明に係る照明器具の一例を示す断面図、図２はその照明器具の灯体を構成する光源筒の正面図、図３はその光源筒内のソケットに保持されたランプのネック部を支持するサポートの一例を示す図、図４はそのサポートの周枠を示す図である。なお、図３（ａ）及び（ｂ）は夫々サポートの正面図及び左側面図を表し、図４（ａ）及び（ｂ）は夫々周枠の正面図及び左側面図を表している。
【００１３】本例の照明器具は、その灯体１が、ランプ２を装着する灯具本体となる光源筒３とその開口端に脱着自在に取り付けられる反射鏡４とを備え、光源筒３内には、ランプ２の口金を嵌め込んで該ランプ２を保持すると同時に電源に接続するソケット５と、該ソケット５に保持されたランプ２のネック部６を支持するサポート７が設置され、光源筒３の開口部にはランプ２の放射熱を遮る遮熱板８が設置されている。
【００１４】サポート７は、ソケット５に保持されたランプ２のネック部６を囲うように設置されるバネ材で成る周枠９に、該周枠９内に挿通されるランプ２のネック部６に対してそのネック部６を取り囲む複数方向から圧接して周枠９を外方へ押し広げるように弾性変形させ、その弾性変形により生ずる反発力でランプ２のネック部６を掴むネック掴持部材１０ａ、１０ｂ及び１０ｃが取り付けられた構成となっている。
【００１５】サポート７の周枠９を構成するバネ材は、全体として各辺１１ａ、１１ｂ及び１１ｃの長さが略等しい三角形に曲げ加工されると共に、それら各辺１１ａ、１１ｂ及び１１ｃが各々その中央部の面内方向に均等サイズの円形状ループ部１２ａ、１２ｂ及び１２ｃを形成するように曲げ加工されたピアノ線等のバネ線材Ｐで成り、その三角形の中心Ｘがランプ２の中心（ランプ軸）Ｙと符合する位置で三角形の角部に相当する部分１３ａ、１３ｂ及び１３ｃが光源筒３に固定されるようになっている。
【００１６】また、周枠９に取り付けるネック掴持部材１０ａ、１０ｂ及び１０ｃは、外周溝１４を周枠９の円形状ループ部１２ａ〜１２ｃの内側に係合させて該ループ部１２ａ〜１２ｃ内に回転自在に嵌め付けられた耐熱樹脂製の円盤Ｑで形成されている。なお、該円盤Ｑには、ランプ２のネック部６を周枠９内に円滑に挿通させることができるようにするため、周枠９内にネック部６を挿通させる際にそのネック部６の口金側端部が接触する側面周縁部に沿って、その周縁部をテーパ面１５とする面取りが施されている。
【００１７】また、サポート７は、ランプ２の荷重による周枠９の弾性変形を抑制するために、三角形の周枠９の角部に相当する部分１３ａ〜１３ｃのいずれかを真下にして取り付けるのが強度的に好ましく、特に、周枠９を形成するバネ線材Ｐの両端を突き合わせて角を成す部分１３ｃを真下にして取り付けるのが最も好ましい。
【００１８】つまり、図２の如く、バネ線材Ｐを曲げて角を成した部分１３ａ及び１３ｂを上にして、それらを光源筒３に設けられた突出ピン１６ａ及び１６ｂに夫々掛け止めて固定し、バネ線材Ｐの両端を突き合わせて角を成す部分１３ｃを真下に向けて、そのバネ線材Ｐの両端を各々直角に折り曲げて成る両フック部１７を光源筒３に設けられたフック孔１８に掛け止めて固定すれば、ランプ２の荷重を三角形の二辺１１ｂ及び１１ｃによって支えることができ、しかも、その二辺１１ｂ及び１１ｃは、下端のフック１７を光源筒３に設けたフック孔１８に掛け止めて定位置に確りと固定されているので、ランプ２の荷重による周枠９の弾性変形や歪み、撓み等を最小限に抑制することができ、それによって、使用するバネ線材Ｐの線径も極力細くすることができるので、周枠９内に挿通するランプ２のネック部６によって周枠９を容易に押し広げることが可能な構成とすることができる。
【００１９】以上が、本照明器具の構成であり、次にその作用効果について説明する。ランプ２を図１の如く光源筒３内のソケット５に取り付けるために、ランプ２の口金側を光源筒３の開口部からソケット５の方向へ挿入すると、そのネック部６の口金側端部が、光源筒３内に設置したサポート７の周枠９に取り付けられているネック掴持部材１０ａ、１０ｂ及び１０ｃのテーパ面１５に接触して、ネック掴持部材１０ａ〜１０ｃを周枠９のバネ弾性に抗して外方へ圧し動かし、これらネック掴持部材１０ａ〜１０ｃがネック部６の周面に対して等角的に三方向から圧接した状態となる。
【００２０】この状態で、ランプ２の口金をソケット５にあてがって、その口金をソケット５に嵌め込む方向にランプ２を回転させて該ランプ２を図１の如く取り付ける際に、ランプ２のネック部６に圧接している円盤Ｑで成るネック掴持部材１０ａ〜１０ｃがランプ２の回転に伴なって回転するので、ランプ２の口金をソケット５に円滑に嵌め込むことができる。
【００２１】そして、ランプ２が図１の如く取り付けられると、サポート７の周枠９は、三角形の各辺１１ａ、１１ｂ及び１１ｃが、それら各辺の中央部に取り付けられてランプ２のネック部６に圧接しているネック掴持部材１０ａ、１０ｂ及び１０ｃで略均等に外方へ押し広げられるように弾性変形した状態となり、その弾性変形により生ずる反発力で、ネック掴持部材１０ａ〜１０ｃが、あたかも三方締めチャックの如くランプ２のネック部６を三方向から均等な押圧力で掴んで、ランプ２の中心Ｙを周枠９の中心Ｘに位置させるように該ランプ２のネック部６を支持する。
【００２２】これにより、ランプ２の振動が効果的に吸収緩和されると同時に、ランプ２の荷重でそのランプ軸Ｙが傾くことが効果的に防止される。また、周枠９とネック掴持部材１０ａ〜１０ｃとで構成されるサポート７は、光源筒３の開口部を塞いでその光源筒３内の通気性を損なうこともない。また、ランプ２のネック部６に圧接するネック掴持部材１０ａ〜１０ｃがガラスよりも硬度が低い耐熱性樹脂で形成されていれば、ネック部６を損傷するおそれが少ない。更に、それらネック掴持部材１０ａ〜１０ｃが周枠９に対して回転自在に取り付けられた円盤Ｑで形成されていれば、ネック部６の表面を傷つけるおそれは殆どない。
【００２３】なお、ネック掴持部材１０ａ〜１０ｃは、円盤Ｑの代わりに、該円盤Ｑの外周溝１４と同じく円形状ループ部１２ａ〜１２ｃに内側から係合させる外周溝を設けて該ループ部１２ａ〜１２ｃ内に回転自在に嵌め付けられる耐熱性に優れた樹脂製の球体で成るものであってもよい。また、ネック掴持部材を球体で形成する場合は、外周溝を形成せずに、球体の中心にバネ線材Ｐが挿通できる貫通孔を設け、バネ線材Ｐで成る各辺１１ａ〜１１ｃの中央部には円形状ループ部１２ａ〜１２ｃを形成せずに、その球体を各辺１１ａ〜１１ｃを軸として回転するように取り付けるようにしてもよい。
【００２４】また、周枠９は、三角形に限らず、他の多角形に曲げ加工されたバネ材で成るものであってもよい。すなわち、本発明は、各辺の長さが略等しい多角形の中心がランプ２の中心Ｙと符合する位置で多角形の角部に相当する部分が灯体１に固定され、その多角形の各辺の中央部に夫々ネック掴持部材が取り付けられた周枠をすべて含むものである。なお、例えばランプのネック部をネック掴持部材で四方向から支持するように四角形の周枠とした場合も、上記三角形の周枠と同じく、その角を成す部分の一つが真下に来るように設置するのが強度的に好ましい。
【００２５】
【発明の効果】
本発明の照明器具は、灯体内のソケットに保持されたランプのネック部をサポートで支持することによって、ランプの振動を効果的に抑制することができると同時にランプの荷重でそのランプ軸に傾きが生ずることも防止することができ、また、サポートが灯体内の通気性を損ねたり、ランプの装着作業を妨げるおそれもないという数々の優れた効果がある。
【図面の簡単な説明】
【図１】本発明に係る照明器具の一例を示す断面図
【図２】図１に示す照明器具の灯体を構成する光源筒の正面図
【図３】本発明の照明器具に設けるサポートの一例を示す図
【図４】図３のサポートを構成する周枠を示す図
【符号の説明】
１………………灯体
２………………ランプ
３………………光源筒
５………………ソケット
６………………ランプのネック部
７………………サポート
９………………周枠
１０ａ……………ネック掴持部材
１０ｂ……………ネック掴持部材
１０ｃ……………ネック掴持部材
１２ａ……………円形状ループ部
１２ｂ……………円形状ループ部
１２ｃ……………円形状ループ部
１４………………外周溝
１５………………テーパ面
【図１】
2005019073.tif 000003
【図２】
2005019073.tif 000004
【図３】
2005019073.tif 000005
【図４】
2005019073.tif 000006